(57)【要約】【課題】入力される光信号に含まれる雑音の状態にかかわらず、多重化後の光信号の各波長のパワーを最適に調整する。【解決手段】ＶＯＡ１３０は、波長分離された各波長の光信号のパワーを減衰により可変させる。受光器（ＰＤ１）１３１は、ＶＯＡ１３０による減衰後の光信号のパワーを各波長別に検出する。受光器（ＰＤ２）１４３は、各波長の光信号を合波する合波器１４０による合波後の光信号のパワーを検出する。監視制御部１７０は、受光器（ＰＤ１）１３１により検出された各波長の光信号のパワーがそれぞれ目標値になるようＶＯＡ１３０を制御するとともに、受光器（ＰＤ２）１４３により検出された光信号の合波後のパワーと、入力されている光信号の波長数の情報とに基づいて、各波長の光信号のパワーがそれぞれ目標値になるようＶＯＡ１３０を制御し、各波長の光信号のパワーの波長偏差を解消する。【選択図】図１
2010130270.tif 000002
【特許請求の範囲】
【請求項１】
波長分離された各波長の光信号のパワーを減衰により可変させる光減衰器と、
前記光減衰器による減衰後の光信号のパワーを各波長別に検出する第１の受光器と、
前記各波長の光信号を合波する合波器と、
前記合波器による合波後の光信号のパワーを検出する第２の受光器と、
前記第１の受光器により検出された前記各波長の光信号のパワーがそれぞれ目標値になるよう前記光減衰器を制御する第１の制御系と、
前記第２の受光器により検出された光信号の合波後のパワーと、入力されている光信号の波長数の情報とに基づいて、前記各波長の光信号のパワーがそれぞれ目標値になるよう前記光減衰器を制御する第２の制御系とを有する監視制御手段と、
を備えたことを特徴とする光波長多重伝送装置。
【請求項２】
前記監視制御手段は、装置の運用前の状態で一つの波長単位で光信号を入力したときに、前記第１の受光器と前記第２の受光器によってそれぞれ検出された光信号のパワーの差分に基づき当該一つの波長あたりの前記合波器の損失を求め、前記目標値の演算に用いることを特徴とする請求項１に記載の光波長多重伝送装置。
【請求項３】
前記監視制御手段は、装置の運用中の状態で前記第２の受光器によって検出された光信号の合波後のパワーを波長数で割って波長あたりの光信号のパワーを求め、前記目標値の演算に用いることを特徴とする請求項１または２に記載の光波長多重伝送装置。
【請求項４】
前記監視制御手段には、前記波長数の情報と、伝送装置の後段に備えるＰｏｓｔアンプの一つの波長あたりのターゲット入力パワー値とが外部から入力され、前記目標値の演算に用いることを特徴とする請求項１〜３のいずれか一つに記載の光波長多重伝送装置。
【請求項５】
波長分離された各波長の光信号のパワーを減衰により可変させる光減衰器と、前記光減衰器による減衰後の光信号のパワーを各波長別に検出する第１の受光器と、前記各波長の光信号を合波する合波器と、前記合波器による合波後の光信号のパワーを検出する第２の受光器とを備えた光波長多重伝送装置の光波長多重伝送方法において、
前記第１の受光器により検出された前記各波長の光信号のパワーがそれぞれ目標値になるよう前記光減衰器を制御する第１の制御工程と、
前記第２の受光器により検出された光信号の合波後のパワーと、入力されている光信号の波長数の情報とに基づいて、前記各波長の光信号のパワーがそれぞれ目標値になるよう前記光減衰器を制御する第２の制御工程と、
を含むことを特徴とする光波長多重伝送方法。
【発明の詳細な説明】
【技術分野】
【０００１】
この発明は、波長多重伝送方式（ＷＤＭ：Ｗａｖｅｌｅｎｇｔｈ  Ｄｉｖｉｓｉｏｎ  Ｍｕｌｔｉｐｌｅｘｅｒ）における光信号の出力パワーを補正する光波長多重伝送装置および光波長多重伝送方法に関する。
【背景技術】
【０００２】
図８は、一般的な光波長多重伝送装置の構成例を示す図である。図８の構成は、波長分離した光と装置外部から入力される光を選択可能とした波長多重伝送装置（ＷＤＭ伝送装置）である。ＷＤＭ伝送装置８００は、入力光の前段位置に設けられ、光信号を増幅する光増幅器８１０を備えた前段光増幅部（Ｐｒｅアンプ）８０１と、多重化された各波長の光信号を複数の波長（チャネル：ｃｈ１〜ｎ）に分波する分波器（ＤＭＵＸ：ＤｅＭｕｌｔｉｐｌｅｘｅｒ）８２０を備えた波長分離部８０２と、各波長毎に光減衰器（ＶＯＡ：Ｖａｒｉａｂｌｅ  Ｏｐｔｉｃａｌ  Ａｔｔｅｎｕａｔｏｒ）８３０を配置して光信号のパワーを減衰量の調整で変更する光パワー可変部８０３と、合波器（ＭＵＸ：Ｍｕｌｔｉｐｌｅｘｅｒ）８４０を備え、複数の波長の光信号を合波する波長多重部８０４と、合波後の光信号を光増幅器８５０により増幅して次局（他のＷＤＭ伝送装置）に送信する次段光増幅部８０５と、を備えている（たとえば、下記特許文献１参照。）。
【０００３】
前段光増幅部８０１の光増幅器８１０の前段には、入力された光信号のパワーを検出する検出器（ＰＤ）８１１が設けられ、後段には増幅後の出力光のパワーを検出する検出器（ＰＤ）８１２が設けられている。次段光増幅部８０５についても、光増幅器（Ｐｏｓｔアンプ）８５０の前段には、入力された光信号のパワーを検出する検出器（ＰＤ）８５１が設けられ、後段には増幅後の出力光のパワーを検出する検出器（ＰＤ）８５２が設けられている。
【０００４】
光パワー可変部８０３には、ＶＯＡ８３０の後段に受光器８３１（ＰＤ）が設けられ、ＶＯＡ透過後の光信号のパワーを検出する。
【０００５】
図８に示す構成によれば、ポート８６０を介して外部から各ｃｈのＡｄｄ光が挿入自在である。また、波長分離部８０２で波長分離された各波長の光をそのまま通過（Ｔｈｒｏｕｇｈ）させて光パワー可変部８０３に出力することもできる。他の構成例としては、波長分離部８０２で波長分離された各波長の光を全てポート８６０から外部に出力し、また、ポート８６０を介して外部から入力された各波長の光を光パワー可変部８０３に出力する構成のものもある。
【０００６】
図９は、光波長多重伝送装置のうち光パワー制御にかかる構成を抽出した図である。図９に示す例では、図８に示した光パワー可変部８０３から波長多重部８０４までの構成を示している。ＷＤＭ伝送装置８００は、光信号のパワーを監視する監視制御部８７０を備えている。監視制御部８７０は、光パワー可変部８０３の各波長別に設けられた複数の受光器（ＰＤ１）８３１の検出値を監視する監視部８７１と、パワー制御のパラメータを格納する記憶部８７２と、記憶部８７２のパラメータと、監視部８７１の検出値に基づき光信号のパワーの制御値を演算する演算部８７３と、演算された制御値に基づき、各波長別に設けられた複数のＶＯＡ８３０の減衰量を可変制御するＶＯＡ制御部８７４とを有している。外部端末８８２は、１チャネルあたりのＰｏｓｔアンプ８５０のターゲット入力パワー値、ＡＳＥ補正値を出力し、記憶部８７２はパラメータとして格納する。
【０００７】
光信号のパワーの調整時には、ポート８６０には、外部の可変波長光源８８０が接続され、各波長（ｃｈ１〜ｎ）の光信号が入力される。波長多重部８０４の出力ポート８４５には、光パワーメータ８８１が接続され、光パワー可変部８０３、および波長多重部８０４を通過した光信号のパワーが測定される。
【０００８】
次に、監視制御部８７０が実行する光信号のパワーの調整の制御手順について説明する。
１）ＶＯＡ制御部８７４は、全ての波長（ｃｈ１〜ｎ）のＶＯＡ８３０を全開（減衰量最小）に設定し、光入力端であるポート８６０から波長多重部８０４の出力端であるポート８４５までの経路におけるチャネル毎の光損失（Ｌｔｏｔａｌ＿ｗ）を測定する（ｗ：各ｃｈ）。このとき、可変波長光源８８０から入力させる光信号のパワーは、測定を簡単化するため０ｄＢｍ／ｃｈにしておく。
２）チャネル毎に設置してある受光器（ＰＤ１）８３１で検出される光信号のパワー（ＯＰ＿ｗ）を記録し、記憶部８７２に格納する。
３）Ｐｏｓｔアンプ８０５へ入力される合波後の光信号のチャネル間の光信号のパワー差を抑えるため、１チャネルあたりのターゲットパワー（Ｏｔｇｔ＿ｗ）を設定する。この設定値は記憶部８７２に記憶される。
【０００９】
４）演算部８７３により、波長多重部８０４のチャネル単位の光損失（Ｌｍｕｘ＿ｗ）を算出する。算出式は、Ｌｍｕｘ＿ｗ＝Ｌｔｏｔａｌ＿ｗ−ＯＰ＿ｗ
５）１チャネルあたりのターゲットパワーに光損失分を加算することにより、受光器（ＰＤ１）８３１で検出されるべき光信号のパワー範囲（Ｏｐｄ１）を算出する。算出式は、Ｏｐｄ１＿ｗ＝Ｏｔｇｔ＿ｗ＋Ｌｍｕｘ＿ｗ
６）この後、受光器（ＰＤ１）８３１で検出される光信号のパワーがＯｐｄ１の範囲内に入るようにＶＯＡ制御部８７４を介して各ＶＯＡ８３０の減衰量を調整する。このように、合波前の波長分離された各光信号のパワーと、予め測定された制御部内での情報に基づいて合波後の個々の波長における光信号のパワーを算出し、制御する構成が開示されている（たとえば、下記特許文献２参照。）。
【００１０】
【特許文献１】特開２００１−１９７０１０号公報
【特許文献２】特開２００７−０６７７５９号公報
【発明の開示】
【発明が解決しようとする課題】
【００１１】
しかしながら、上記従来の技術では、入力される光信号に広帯域の雑音（ＡＳＥ：Ａｍｐｌｉｆｉｅｄ  Ｓｐｏｎｔａｎｅｏｕｓ  Ｅｍｉｓｓｉｏｎ）が付加されている場合には、適切な光信号のパワーの制御が行えなかった。図１０は、波長多重部に設けられる合波器の各部の光信号の状態を示す図である。横軸は波長、縦軸はパワーである。ここで、光パワー可変部８０３に設けられる受光器（ＰＤ１）８３１は、ＡＳＥまで含めた光信号のパワーの全体量しか測定できない。合波器８４０の前段に設けられる受光器（ＰＤ１）８３１は、図１０（ａ）に示すように、広帯域なＡＳＥが付加された光信号λ１を検出している（便宜上、以下の説明では光信号の波長λ１〜ｎのうちλ１のみとした）。
【００１２】
そして、光パワー可変部８０３の後段に設けられる波長多重部８０４は、波長多重を行う性質上、合波器８４０は、図１０（ｂ）に示すように光信号λ１を透過させるフィルタ特性を有している。したがって、合波器８４０の出力後の光信号は、図１０（ｃ）に示すように、光信号の成分と、フィルタ特性により合波器８４０を透過した光信号の波長近傍のＡＳＥからなる。このため、受光器（ＰＤ１）８３１で検出されるパワーのみでＶＯＡ８３０の調整を行うと、Ｐｏｓｔアンプ８０５へ入力されるチャネルあたりの光信号のパワーが所望の設定値に対して低くなってしまう。これは、図１０（ｄ）に示すように、合波器８４０通過による受光器（ＰＤ１）８３１で検出されるパワーのうち、図中斜線で示す広帯域に渡るＡＳＥの成分が切り取られることになるためである。
【００１３】
上記のような受光器（ＰＤ１）８３１でのパワー検出に基づくＶＯＡ８３０の制御によれば、ＡＳＥが付加する場合には、Ｐｏｓｔアンプ８０５に設定する目標値であるターゲット入力パワーと、実際の波長多重部８０４の出力光パワーとの間の誤差が大きくなる。これにより、入力される光信号のＡＳＥ成分の大きさおよび光信号の帯域幅の要因により、波長多重後の各波長における光信号のパワーを適切な値に調整することができなかった。具体的には、各波長を合波したトータルパワーを目標値にできないとともに、各波長の光信号のパワーに波長偏差が生じ、光信号の品質向上ができなかった。
【００１４】
開示の光波長多重伝送装置および光波長多重伝送方法は、上述した問題点を解消するものであり、入力される光信号に含まれる雑音の状態にかかわらず、多重化後の光信号の各波長のパワーを最適に調整することを目的とする。
【課題を解決するための手段】
【００１５】
上述した課題を解決し、目的を達成するため、開示技術は、波長分離された各波長の光信号のパワーを減衰により可変させる光減衰器と、前記光減衰器による減衰後の光信号のパワーを各波長別に検出する第１の受光器と、前記各波長の光信号を合波する合波器と、前記合波器による合波後の光信号のパワーを検出する第２の受光器とを備える。監視制御手段は、前記第１の受光器により検出された前記各波長の光信号のパワーがそれぞれ目標値になるよう前記光減衰器を制御する第１の制御系と、前記第２の受光器により検出された光信号の合波後のパワーと、入力されている光信号の波長数の情報とに基づいて、前記各波長の光信号のパワーがそれぞれ目標値になるよう前記光減衰器を制御することを要件とする。
【００１６】
上記構成によれば、合波器のフィルタ特性によりＡＳＥが切り取られ、また、入力される光信号に含まれる各波長のＡＳＥのパワーが異なった場合であっても、波長毎の光信号のパワーを目標値となるよう制御できる。
【発明の効果】
【００１７】
開示の光波長多重伝送装置および光波長多重伝送方法によれば、光信号の帯域幅、あるいはＡＳＥ付加の有無にかかわらず、波長多重された光信号を一つの波長毎に所望の値に制御できるという効果を奏する。
【発明を実施するための最良の形態】
【００１８】
以下に添付図面を参照して、この光波長多重伝送装置および光波長多重伝送方法の好適な実施の形態を詳細に説明する。このＷＤＭ伝送装置は、波長分離された各波長の光信号のパワーに基づき各波長の光信号のパワー調整を行う制御系と、波長合波後の光信号のパワーを検出し所定の演算により各波長の光信号のパワー調整を行う制御系とを有している。波長合波後の光信号のパワーは、波長多重部に設けられる受光器を利用する。このように、波長分離された各波長の光信号のパワーをＶＯＡにより調整して合波後のパワーを調整する構成として、合波器のフィルタ特性によるＡＳＥ成分の切り取りの影響を受けず、また、光信号のＡＳＥ成分の付加の有無等の影響を受けることなく、多重化後の光信号の各波長のレベルを最適に調整できる。
【００１９】
（実施の形態１）
実施の形態１は、波長分離された光信号が入力される構成を前提としている。図１は、実施の形態１にかかる光波長多重伝送装置の運用前の光パワー調整の構成を示すブロック図である。図１には、ＷＤＭ伝送装置１００の一部の構成を記載してある。ＷＤＭ伝送装置１００の入力側には、ポート１６０が設けられ、可変波長光源１８０が接続されている。可変波長光源１８０からは複数の各波長λ１〜ｎの光信号が入力される。
【００２０】
光パワー可変部１０３には、各波長毎にそれぞれ光減衰器（ＶＯＡ）１３０が設けられており、波長別の光信号のパワーを調整（減衰）自在である。このＶＯＡ１３０の後段には、各波長毎の光信号のパワーを検出する複数の受光器（ＰＤ１）１３１が設けられている。光パワー可変部１０３から出力された各波長の光信号は、波長多重部１０４の合波器（ＭＵＸ）１４０により合波され、合計のパワー（トータルパワー）が受光器（ＰＤ２）１４３によって検出される。
【００２１】
このように、各波長毎に設けられた光減衰器（ＶＯＡ）１３０は、直後に配置された各波長別の受光器（ＰＤ１）１３１により検出されて波長別の減衰量制御がなされる。加えて、この実施の形態では、合波器１４０の後段に設けられ合波後の光信号を検出する受光器（ＰＤ２）１４３の検出値を用いる。具体的には、波長毎の光信号のパワーを求める（詳細は後述する）。これにより、合波器１４０が有する損失や各波長のＡＳＥを考慮して、各波長のＶＯＡ１３０の減衰量を適切に制御する。
【００２２】
監視制御部１７０は、光パワー可変部１０３の各波長の光信号のパワーを検出する複数の受光器（ＰＤ１）１３１の検出値と、波長多重部１０４に設けられた合波後の光信号のパワーを検出する受光器（ＰＤ２）１４３の検出値を取り込み、監視する監視部１７１と、パワー制御のパラメータを格納する記憶部１７２と、記憶部１７２のパラメータと、監視部１７１の検出値に基づき光信号のパワーの制御値を演算する演算部１７３と、演算された制御値に基づき、各波長別に設けられた複数のＶＯＡ１３０の減衰量を可変制御するＶＯＡ制御部１７４とを有している。外部端末１８２は、１チャネルあたりのＰｏｓｔアンプのターゲット入力パワー値を出力し、記憶部１７２はパラメータとして格納する。
【００２３】
光信号のパワーの調整時には、ポート１６０に外部の可変波長光源１８０が接続され、各波長（ｃｈ１〜ｎ）の光信号が入力される。この光信号は、波長分離された状態、すなわち合波前の各波長の光信号のパワーが受光器（ＰＤ１）１３１で検出され、合波後の光信号のパワーが受光器（ＰＤ２）１４３で検出される。
【００２４】
次に、上記構成による光信号のパワーの制御手順について説明する。光信号のパワーの制御手順は、大きく分けて運用前準備と、運用中制御からなる。以下の説明における制御処理は、監視制御部１７０が実行する。
【００２５】
（運用前準備）
図２は、運用前準備の各処理を示すフローチャートである。はじめに、監視制御部１７０のＶＯＡ制御部１７４は、各波長のＶＯＡ１３０を全開（減衰量を最小）にする（ステップＳ２０１）。次に、可変波長光源１８０によってポート１６０から一波長ずつ光信号を入力させる（ステップＳ２０２）。この際の入力パワーは、以下の説明の便宜上、１ｍＷとしておく。
【００２６】
次に、ＷＤＭ伝送装置１００が有する受光器（ＰＤ１，ＰＤ２）１３１，１４３により、それぞれ受光した光信号のパワーを検出する。波長多重部１０４に設けられた受光器（ＰＤ２）１４３では光パワーＯｐｄ２＿ｗが検出され（ステップＳ２０３）、光パワー可変部１０３に設けられた受光器（ＰＤ１）１３１では、光パワーＯｐｄ１＿ｗが検出される（ステップＳ２０４）。ｗは所定の一波長である。これら波長毎の光パワーＯｐｄ１＿ｗ，Ｏｐｄ２＿ｗは、それぞれ記憶部１７２に記憶される。
【００２７】
次に、演算部１７３は、検出された光パワーＯｐｄ１＿ｗと、光パワーＯｐｄ２＿ｗの差分に基づいて、波長多重部１０４における波長毎の光損失量（Ｌｏｍｕｘ＿ｗ）を算出する（ステップＳ２０５）。この際、ａ．入力パワーとＯｐｄ２＿ｗの差分により、ポート１６０から受光器（ＰＤ２）１４３までの経路における波長毎の光損失量が算出される。また、ｂ．入力パワーとＯｐｄ１＿ｗの差分により、ポート１６０から受光器（ＰＤ１）１３１までの経路における波長毎の光損失量が算出される。そして、上記ａ，ｂの差分に基づき、ｃ．波長多重部１０４に設けられた合波器１４０が有する波長毎の光損失量Ｌｏｍｕｘ＿ｗが得られる。この波長毎の光損失量Ｌｏｍｕｘ＿ｗは、記憶部１７２に記憶される。
【００２８】
次に、演算部１７３は、光パワー可変部１０３のＶＯＡ１３０の損失量ＶＯＡＬｏｓｓを算出する（ステップＳ２０６）。この算出は、上記ポート１６０での光信号の入力パワーと、光パワー可変部１０３の受光器（ＰＤ１）１３１で検出された光パワーＯｐｄ１＿ｗの差分により算出できる（１（ｍＷ）−Ｏｐｄ１＿ｗ）。得られた値は、ＶＯＡ１３０の損失量の最小値（ｍｉｎ）である。このＶＯＡ１３０の損失量ＶＯＡＬｏｓｓ（ｍｉｎ）は、記憶部１７２に記憶される。
【００２９】
最後に、波長多重部１０４の後段に設けられるＰｏｓｔアンプにおける目標値であるターゲット入力パワーＯｔｇｔを設定する（ステップＳ２０７）。このターゲット入力パワーＯｔｇｔは、記憶部１７２に記憶される。図３は、図２の処理によって記憶部に記憶される各パラメータを示す図である。上記の処理はある一つの波長について説明したが、複数の波長λ１〜ｎについて行っておくことにより、記憶部１７２には波長毎の合波器１４０における光損失量Ｌｏｍｕｘ＿ｗが記憶される。
【００３０】
図４は、実施の形態１にかかる光波長多重伝送装置の運用中の光パワー調整の構成を示すブロック図である。図示のように、運用中は、ポート１６０から可変波長光源１８０が取り外され、ポート１６０からは複数の波長λ１〜ｎの光信号が入力される。また、波長多重部１０４の後段に接続された次段光増幅部１０５は、Ｐｏｓｔアンプ１５０により増幅した光信号を後段の他のＷＤＭ伝送装置に出力する。外部端末１８２は、ポート１６０に入力される（運用されている）光信号の波長数を監視制御部１７０に出力する。
【００３１】
（運用中制御）
図５は、運用中制御の各処理を示すフローチャートである。まず、光入力端であるポート１６０から波長λ１〜ｎのうち運用されている複数の波長の光信号が入力される（ステップＳ５０１）。この際の入力パワーは不明（任意）である。そして、短波長側から一つの波長単位で以下の処理を実行していく。
【００３２】
光パワー可変部１０３の受光器（ＰＤ１）１３１は、入力された各波長の光パワーを検出する（ステップＳ５０２）。次に、演算部１７３は、記憶部１７２からＶＯＡ１３０の損失量ＶＯＡＬｏｓｓを読み出し（ステップＳ５０３−１）、波長毎の光入力パワーＯｐｉｎ＿ｗを算出する（ステップＳ５０３−２）。ここで短波長側の一つの波長単位で処理を行う。
波長毎の光入力パワーＯｐｉｎ＿ｗ＝Ｏｐｄ１＿ｗ＋ＶＯＡＬｏｓｓ（ｍｉｎ）＋ＶＯＡλ
（ＶＯＡλは、ＶＯＡの減衰量）
【００３３】
次に、演算部１７３は、記憶部１７２からターゲット入力パワーＯｔｇｔを読み出し（ステップＳ５０４−１）、波長毎の波長のＶＯＡ制御目標値ＶＯＡｔｇｔ＿ｗを算出する（ステップＳ５０４−２）。
波長毎のＶＯＡ制御目標値ＶＯＡｔｇｔ＿ｗ＝Ｏｐｉｎ＿ｗ−（Ｏｔｇｔ＋（Ｏｐｄ１＿ｗ−Ｏｐｄ２＿ｗ））
【００３４】
次に、ＶＯＡ制御部１７４は、ＶＯＡ１３０に対し減衰量調整のＶＯＡ制御を行う（ステップＳ５０５）。この際、受光器（ＰＤ１）１３１で検出された一つの波長の光パワーＯｐｄ１＿ｗと、ターゲット入力パワーＯｔｇｔとの差分が予め定めた許容誤差範囲未満であるか判断する（ステップＳ５０６）。
パワーＯｐｄ１＿ｗ−Ｏｔｇｔ＞許容誤差範囲
【００３５】
ステップＳ５０６による比較の結果、許容誤差範囲を超えていれば（ステップＳ５０６：Ｎｏ）、ステップＳ５０２に戻り、ＶＯＡ制御を再実行するが、許容誤差範囲内であれば（ステップＳ５０６：Ｙｅｓ）、以下の処理を実行する。
【００３６】
まず、波長多重部１０４の受光器（ＰＤ２）１４３により、合波後の光出力パワーＯｐｄ２を検出する（ステップＳ５０７）。そして、波長数平均パワーＯｐｄ２ｗ＿ａｖｅを算出する（ステップＳ５０８）。ここで、受光器（ＰＤ２）１４３は、合波器１４０の後段に実装されるため、一つの波長毎の光パワー検出を行うことはできない。そこで、合波された複数の波長の光信号の全光パワーを受光器（ＰＤ２）１４３で測定し、その波長数平均を算出することで一つの波長あたりの光パワーの概算値を求めている。
波長数平均パワーＯｐｄ２ｗ＿ａｖｅ＝Ｏｐｄ２／ｎ  （ｍＷ）
（ｎ：波長数）
【００３７】
そして、波長数平均パワーＯｐｄ２ｗ＿ａｖｅと、Ｐｏｓｔアンプ１５０のターゲット入力パワーＯｔｇｔとの差分が予め定めた許容誤差範囲未満であるか判断する（ステップＳ５０９）。
波長数平均パワーＯｐｄ２ｗ＿ａｖｅ−ターゲット入力パワーＯｔｇｔ＞許容範囲誤差
【００３８】
ステップＳ５０９による比較の結果、許容誤差範囲内であれば（ステップＳ５０９：Ｙｅｓ）、一連の制御処理を終了する。一方、許容誤差範囲を超えていれば（ステップＳ５０９：Ｎｏ）、ステップＳ５１０に移行し、再設定処理を行う。
【００３９】
ステップＳ５１０では、再設定する波長（ｃｈ）を確認し（ステップＳ５１０）、波長数平均パワーＯｐｄ２ｗ＿ａｖｅと、Ｐｏｓｔアンプ１５０のターゲット入力パワーＯｔｇｔとのいずれの値が大きいかを確認する（ステップＳ５１１）。この再設定する波長（ｃｈ）は、短波長側の波長（ｃｈ）から順次行う。
波長数平均パワーＯｐｄ２ｗ＿ａｖｅ−ターゲット入力パワーＯｔｇｔ
【００４０】
ステップＳ５１１による比較の結果、ターゲット入力パワーＯｔｇｔより波長数平均パワーＯｐｄ２ｗ＿ａｖｅの方が小さければ（ステップＳ５１１：＜０）、ＶＯＡ制御部１７４は、ＶＯＡ１３０の減衰量を減らし（ステップＳ５１２）、ターゲット入力パワーＯｔｇｔより波長数平均パワーＯｐｄ２ｗ＿ａｖｅの方が大きければ（ステップＳ５１１：＞０）、ＶＯＡ制御部１７４は、ＶＯＡ１３０の減衰量を増やす（ステップＳ５１３）。ステップＳ５１２，ステップＳ５１３の後は、再設定する波長（ｃｈ）の番号を＋１更新して（ステップＳ５１４）、ステップＳ５０７に戻り、ステップＳ５０７以降の処理を実行する。これにより、ステップＳ５０９における処理、すなわち、波長数平均パワーＯｐｄ２ｗ＿ａｖｅと、Ｐｏｓｔアンプ１５０のターゲット入力パワーＯｔｇｔとの差分が予め定めた許容誤差範囲未満となる制御が行われる。
【００４１】
以上の制御処理により、光信号の帯域幅、あるいはＡＳＥ付加の有無にかかわらず、波長多重された光信号を一つの波長毎に所望の値に制御することができ、波長偏差を解消し、各波長の光信号のパワーを均一にして出力できる。また、上記構成では、波長合波後の受光器（ＰＤ２）１４３で検出して、監視制御部１７０により波長あたりの光信号のパワーを算出し、ＶＯＡ１３０の減衰量制御に利用する構成としたため、ポート１４５に光スペクトラムアナライザや光チャネルモニタ、光パワーメータ等の接続を必要としない。
【００４２】
（実施の形態２）
実施の形態２は、分波器により波長分離された光信号と、新たに挿入（Ａｄｄ）される光信号とが合波される構成を前提としている。図６は、実施の形態２にかかる光波長多重伝送装置の運用前の光パワー調整の構成を示すブロック図である。図１と同様の構成には同一の符号を付してある。
【００４３】
図６に示すように、ＷＤＭ伝送装置１００の前段には波長分離部１０２が設けられ、波長多重されてポート１２１に入力された光信号は分波器（ＤＭＵＸ）１２０によって各波長λ１〜ｎに分波されて光パワー可変部１０３に入力される。光パワー可変部１０３には、ＶＯＡ１３０の前段に光スイッチ１３５が設けられている。光スイッチ１３５には、光信号挿入（Ａｄｄ）用のポート１６０が接続されており、可変波長光源１８０から出力された光が入力される。この光スイッチ１３５は、波長分離部１０２から出力された各波長λ１〜ｎの光信号を図中ａの経路で透過（Ｔｈｒｏｕｇｈ）させることができる。また光スイッチ１３５の切り替えにより、図中ａの経路の光信号に加えてポート１６０からの光信号（図中ｂの経路）を挿入（Ａｄｄ）させることもできる。
【００４４】
そして、外部端末１８２は、入力波長数と、装置内部で透過する光信号（図中ａ）の情報および装置に挿入する追加の光信号（図中ｂ）の情報を出力し、監視制御部１７０は、これらの情報に基づき光信号の入力状態を判断する。運用前準備の処理内容は、実施の形態１の図２と同様である。また、この運用前準備が終了すると、ポート１６０から可変波長光源１８０が取り外され、運用状態になる。運用状態では、波長分離部のポート１２１およびポート１６０からそれぞれ任意の波長およびパワーの光信号が入力される。
【００４５】
（運用中制御）
図７は、運用中制御の各処理を示すフローチャートである。図示のように、ほぼ全ての処理の流れは図５と同様であり、同一の処理工程には図５と同一のステップ番号を記載してある。そして、ステップＳ５０９による判断において、波長数平均パワーＯｐｄ２ｗ＿ａｖｅと、Ｐｏｓｔアンプ１５０のターゲット入力パワーＯｔｇｔとの差分が予め定めた許容誤差範囲を超えているときには（ステップＳ５０９：Ｎｏ）、ステップＳ５１０に移行し、再設定処理を行う際に、対象とした光信号が挿入（Ａｄｄ）されたものであるか、あるいは透過（Ｔｈｒｏｕｇｈ）させるものであるかを確認しておく（ステップＳ６００）。
【００４６】
これにより、ステップＳ５０９の判断で許容誤差範囲を超えた際において、図中ａの経路（Ｔｈｒｏｕｇｈ）側の光信号については、分波器１２０のフィルタによりＡＳＥパワーがなくなっていることから、その要因は、ポート１６０から挿入された光信号（図中ａ側の光信号）にあると判断する。そして、ステップＳ５１０以下の処理における再設定ｃｈは、挿入された光信号の波長に対し、短波長側からＶＯＡ１３０の減衰量制御を行うことにすればよい。
【００４７】
以上の制御処理により、光信号の帯域幅、装置を透過あるいは挿入される光信号にかかわらず、波長多重された光信号を一つの波長毎に所望の値に制御することができ、波長偏差を解消し、各波長の光信号のパワーを均一にして出力できる。ＷＤＭ伝送装置１００では、入力される光信号を透過させる場合に限らず、ポート１６０から外部に出力（Ｄｒｏｐ）させる場合、ポート１６０から新たな光信号が挿入（Ａｄｄ）される場合がある。また、ネットワークの伝送経路長についても短距離であったり長距離であったりする。これらにより光信号に付加されるＡＳＥ成分のパワーが異なるが、上記の構成によれば、ＡＳＥ成分のパワーがどのような状態であっても、光信号の各波長それぞれのパワーを均一にして出力することができるようになる。
【００４８】
以上説明したように、開示の光波長多重伝送装置および光波長多重伝送方法によれば、各波長の光信号のパワーを最適に調整して出力できるため、波長多重された光信号の各波長の波長偏差を解消して信号品質を向上できるとともに、伝送距離の長距離化を達成できるようになる。このように、少なくともＶＯＡと光合波器を有する光波長多重伝送装置に適用して、波長多重して出力される光パワーの調整精度を向上させることができる。
【００４９】
上述した実施の形態に関し、さらに以下の付記を開示する。
【００５０】
（付記１）波長分離された各波長の光信号のパワーを減衰により可変させる光減衰器と、
前記光減衰器による減衰後の光信号のパワーを各波長別に検出する第１の受光器と、
前記各波長の光信号を合波する合波器と、
前記合波器による合波後の光信号のパワーを検出する第２の受光器と、
前記第１の受光器により検出された前記各波長の光信号のパワーがそれぞれ目標値になるよう前記光減衰器を制御する第１の制御系と、
前記第２の受光器により検出された光信号の合波後のパワーと、入力されている光信号の波長数の情報とに基づいて、前記各波長の光信号のパワーがそれぞれ目標値になるよう前記光減衰器を制御する第２の制御系とを有する監視制御手段と、
を備えたことを特徴とする光波長多重伝送装置。
【００５１】
（付記２）前記監視制御手段は、装置の運用前の状態で一つの波長単位で光信号を入力したときに、前記第１の受光器と前記第２の受光器によってそれぞれ検出された光信号のパワーの差分に基づき当該一つの波長あたりの前記合波器の損失を求め、前記目標値の演算に用いることを特徴とする付記１に記載の光波長多重伝送装置。
【００５２】
（付記３）前記監視制御手段は、装置の運用中の状態で前記第２の受光器によって検出された光信号の合波後のパワーを波長数で割って波長あたりの光信号のパワーを求め、前記目標値の演算に用いることを特徴とする付記１または２に記載の光波長多重伝送装置。
【００５３】
（付記４）前記監視制御手段には、前記波長数の情報と、伝送装置の後段に備えるＰｏｓｔアンプの一つの波長あたりのターゲット入力パワー値とが外部から入力され、前記目標値の演算に用いることを特徴とする付記１〜３のいずれか一つに記載の光波長多重伝送装置。
【００５４】
（付記５）前記光減衰器の前段には、光信号を透過および挿入するための光スイッチが設けられ、
前記監視制御手段には、前記光信号が透過であるか挿入であるかの情報が外部から入力され、
前記各波長の光信号のパワーがそれぞれ前記目標値から外れている場合には、挿入された波長の光信号について、前記第２の制御系による制御を再実行することを特徴とする付記４に記載の光波長多重伝送装置。
【００５５】
（付記６）前記第２の受光器は、前記合波器を備えた波長多重部に設けられる受光器を用いることを特徴とする付記１〜５のいずれか一つに記載の光波長多重伝送装置。
【００５６】
（付記７）波長分離された各波長の光信号のパワーを減衰により可変させる光減衰器と、前記光減衰器による減衰後の光信号のパワーを各波長別に検出する第１の受光器と、前記各波長の光信号を合波する合波器と、前記合波器による合波後の光信号のパワーを検出する第２の受光器とを備えた光波長多重伝送装置の光波長多重伝送方法において、
前記第１の受光器により検出された前記各波長の光信号のパワーがそれぞれ目標値になるよう前記光減衰器を制御する第１の制御工程と、
前記第２の受光器により検出された光信号の合波後のパワーと、入力されている光信号の波長数の情報とに基づいて、前記各波長の光信号のパワーがそれぞれ目標値になるよう前記光減衰器を制御する第２の制御工程と、
を含むことを特徴とする光波長多重伝送方法。
【００５７】
（付記８）前記第１の制御工程の実行の前に装置の運用前の状態で実行されるものであり、一つの波長単位で光信号を入力したときに、前記第１の受光器と前記第２の受光器によってそれぞれ検出された光信号のパワーの差分に基づき当該一つの波長あたりの前記合波器の損失を求め、前記目標値の演算に用いる運用前工程をさらに含むことを特徴とする付記７に記載の光波長多重伝送方法。
【００５８】
（付記９）前記第２の制御工程は、装置の運用中の状態で前記第２の受光器によって検出された光信号の合波後のパワーを波長数で割って波長あたりの光信号のパワーを求め、前記目標値の演算に用いることを特徴とする付記８に記載の光波長多重伝送方法。
【００５９】
（付記１０）前記第２の制御工程は、入力される前記波長数の情報と、伝送装置の後段に備えるＰｏｓｔアンプの一つの波長あたりのターゲット入力パワー値を前記目標値の演算に用いることを特徴とする付記７〜９のいずれか一つに記載の光波長多重伝送方法。
【００６０】
（付記１１）前記光減衰器の前段には、光信号を透過および挿入するための光スイッチが設けられ、
前記第２の制御工程は、前記光信号が透過であるか挿入であるかの情報の入力を受けて、前記各波長の光信号のパワーがそれぞれ前記目標値から外れている場合には、挿入された波長の光信号についての制御を再実行することを特徴とする付記１０に記載の光波長多重伝送方法。
【図面の簡単な説明】
【００６１】
【図１】実施の形態１にかかる光波長多重伝送装置の運用前の光パワー調整の構成を示すブロック図である。
【図２】運用前準備の各処理を示すフローチャートである。
【図３】図２の処理によって記憶部に記憶される各パラメータを示す図である。
【図４】実施の形態１にかかる光波長多重伝送装置の運用中の光パワー調整の構成を示すブロック図である。
【図５】運用中制御の各処理を示すフローチャートである。
【図６】実施の形態２にかかる光波長多重伝送装置の運用前の光パワー調整の構成を示すブロック図である。
【図７】運用中制御の各処理を示すフローチャートである。
【図８】一般的な光波長多重伝送装置の構成例を示す図である。
【図９】光波長多重伝送装置のうち光パワー制御にかかる構成を抽出した図である。
【図１０】波長多重部に設けられる合波器の各部の光信号の状態を示す図である。
【符号の説明】
【００６２】
１００  光波長多重伝送装置
１０２  波長分離部
１０３  光パワー可変部
１０４  波長多重部
１０５  次段光増幅部
１２０  分波器（ＤＭＵＸ）
１３０  光減衰器（ＶＯＡ）
１３１  受光器（ＰＤ１）
１４０  合波器（ＭＵＸ）
１４３  受光器（ＰＤ２）
１６０  ポート
１７０  監視制御部
１７１  監視部
１７２  記憶部
１７３  演算部
１７４  ＶＯＡ制御部
【図１】
2010130270.tif 000003
【図２】
2010130270.tif 000004
【図３】
2010130270.tif 000005
【図４】
2010130270.tif 000006
【図５】
2010130270.tif 000007
【図６】
2010130270.tif 000008
【図７】
2010130270.tif 000009
【図８】
2010130270.tif 000010
【図９】
2010130270.tif 000011
【図１０】
2010130270.tif 000012